(57)【要約】【課題】本体集塵室への集塵袋の着脱性を向上しつつ、特殊な集塵袋を用いることなく本体集塵室から取り外す際の集塵開口からの塵埃のこぼれを防止した電気掃除機を提供する。【解決手段】集塵袋41を保持可能な集塵部本体42を備えた集塵部34を本体集塵室に着脱可能とする。本体集塵室への集塵袋41の着脱性を向上できる。集塵部34を集塵袋41とともに本体集塵室から取り外すためにハンドル43を使用状態とするとシャッタ44が集塵開口46aを閉塞する。特殊な集塵袋を用いることなく本体集塵室から取り外す際の集塵開口46aからの塵埃のこぼれを防止できる。【選択図】図１
2011045546.tif 000002
【特許請求の範囲】
【請求項１】
集塵室を内部に備えた本体ケースと、
この本体ケースに収容され、前記集塵室に吸込側が連通する電動送風機と、
前記集塵室に着脱可能な集塵部とを具備し、
前記集塵部は、
集塵開口を有する集塵袋を保持可能な集塵部本体と、
この集塵部本体に設けられ、収納状態と使用状態とで異なる状態となるハンドルと、
このハンドルが使用状態から収納状態になることで前記集塵開口を開き、前記ハンドルが収納状態から使用状態になることで前記集塵開口を閉塞する開閉体とを備えている
ことを特徴とした電気掃除機。
【請求項２】
集塵室を開閉可能な蓋体を具備し、
ハンドルは、前記蓋体により前記集塵室を閉じた状態で収納状態になり、前記蓋体により前記集塵室を開いた状態で使用状態になる
ことを特徴とした請求項１記載の電気掃除機。
【請求項３】
集塵部は、集塵袋を集塵部本体に保持した状態で集塵開口が垂直方向に沿うように集塵室に装着され、
ハンドルは、前記集塵部本体に対して回動可能に設けられ、
前記集塵部本体は、前記ハンドルを把持して前記集塵部を前記集塵室から取り外した状態で前記集塵開口が略水平方向になるように前記ハンドルに対して相対的に回動する
ことを特徴とした請求項１または２記載の電気掃除機。
【請求項４】
集塵部は、集塵部本体がハンドルに対して相対的に回動したときに集塵袋の集塵開口の近傍に衝撃を与える衝撃付与部を備えている
ことを特徴とした請求項３記載の電気掃除機。
【発明の詳細な説明】
【技術分野】
【０００１】
本発明は、集塵室に着脱可能な集塵部を備えた電気掃除機に関する。
【背景技術】
【０００２】
従来、この種の電気掃除機は、中空状の本体ケース内の前後に、集塵室と、この集塵室に連通する電動送風機室とが区画されている。電動送風機室には、電動送風機が収容されており、この電動送風機の吸込側が集塵室に気密に接続されている。また、集塵室は、本体ケースの蓋体により上側が開閉可能に構成されている。
【０００３】
集塵室には、集塵袋すなわち紙パックが着脱可能となっている。このような紙パックは、集塵開口を有する台紙である口板と、この口板に一体的に取り付けられた袋体とを備えており、口板を集塵室に形成された溝部などに嵌め込んで固定しなければならず、集塵室への取り付けが煩雑となる。そこで、集塵室に対する紙パックの着脱性を向上するために、紙パックをバスケット体により保持した集塵部を集塵室に対して着脱可能とした構成が知られている(例えば、特許文献１および２参照。)。
【０００４】
しかしながら、このような構成の場合、集塵部を集塵室から取り外す際に、紙パックの集塵開口から塵埃がこぼれるおそれがある。このため、紙パックの集塵開口を開閉する開閉体としてのシャッタを取り付けることが考えられる。
【０００５】
このようなシャッタとしては、例えば紙パックの口板の内部に上下に摺動可能なシャッタを取り付け、このシャッタの一部を口板の外側へと突出させたハンドルとして、このハンドルを持ち上げた際にシャッタが閉じる構成が知られている(例えば、特許文献３参照。)。しかしながら、このようなシャッタは、紙パック自体の口板を特殊な構成としなければならず、一般的な紙パックに適用することはできないだけでなく、紙パックがコスト高となる問題がある。
【０００６】
また、例えば集塵カップの集塵開口にシャッタを取り付け、集塵カップを集塵室に装着すると集塵室内に形成された突起と接触してシャッタが開き、集塵カップを集塵室から取り外すとシャッタが閉じる構成が知られており(例えば、特許文献４参照。)、このようなシャッタをバスケット体に配置して、紙パックの集塵開口を開閉可能とすることも考えられる。しかしながら、このようなシャッタを用いた場合、このシャッタは集塵部が集塵室から取り外されるにしたがって紙パックの集塵開口を徐々に閉塞するため、集塵部がある程度集塵室から取り外された状態で初めてシャッタが紙パックの集塵開口を完全に閉塞可能となる。したがって、例えば集塵部を集塵室から取り外す際の初期の時点では、集塵開口から塵埃がこぼれるおそれがある。
【先行技術文献】
【特許文献】
【０００７】
【特許文献１】特開２００７−２０７６８号公報(第３−４頁、図２−３)
【特許文献２】特開２００５−２３７４０７号公報(第４−６頁、図２−３)
【特許文献３】実開平６−１７６５４号公報(第７−９頁、図２−３)
【特許文献４】特許第３８５９０８２号公報(第６頁、図１および図４)
【発明の概要】
【発明が解決しようとする課題】
【０００８】
上述したように、上記各構成では、集塵室から取り外す際の集塵袋の集塵開口からの塵埃のこぼれを防止できないという問題点を有している。
【０００９】
本発明は、このような点に鑑みなされたもので、集塵室への集塵袋の着脱性を向上しつつ、特殊な集塵袋を用いることなく集塵室から取り外す際の集塵開口からの塵埃のこぼれを防止した電気掃除機を提供することを目的とする。
【課題を解決するための手段】
【００１０】
本発明は、電動送風機の吸込側と連通する集塵室に着脱可能な集塵部が、集塵開口を有する集塵袋を保持可能な集塵部本体と、この集塵部本体に設けられ、収納状態と使用状態とで異なる状態となるハンドルと、このハンドルが使用状態から収納状態になることで集塵開口を開き、ハンドルが収納状態から使用状態になることで集塵開口を閉塞する開閉体とを備えているものである。
【発明の効果】
【００１１】
本発明によれば、集塵袋を保持可能な集塵部本体を備えた集塵部を集塵室に着脱可能とすることにより、集塵室への集塵袋の着脱性を向上できるとともに、集塵部を集塵袋とともに集塵室から取り外すためにハンドルを使用状態とすると開閉体が集塵開口を閉塞することにより、特殊な集塵袋を用いることなくこの取り外しの際の集塵開口からの塵埃のこぼれを防止できる。
【図面の簡単な説明】
【００１２】
【図１】本発明の一実施の形態の電気掃除機のハンドルが使用状態の集塵部を示し、(a)は集塵部の一部の縦断正面図、(b)は集塵部の縦断側面図である。
【図２】同上ハンドルが収納状態の集塵部を示し、(a)は集塵部の一部の縦断正面図、(b)は集塵部の縦断側面図である。
【図３】同上集塵部の一部の分解斜視図である。
【図４】同上集塵部の一部を背面側から示す斜視図である。
【図５】同上集塵部を本体ケースから取り外した状態を前方から示す斜視図である。
【図６】同上集塵部を本体ケースから取り外した状態の一部を拡大して後方から示す斜視図である。
【図７】同上集塵部から集塵袋を取り外す際の動作を示す縦断側面図である。
【図８】同上電気掃除機の本体ケースの内部を模式的に示す一部を切り欠いた側面図であり、(a)はハンドルの使用状態を示し、(b)はハンドルの収納状態を示す。
【図９】同上電気掃除機の斜視図である。
【発明を実施するための形態】
【００１３】
以下、本発明の一実施の形態の構成を図１ないし図９を参照して説明する。
【００１４】
図９において、11はいわゆるキャニスタ型の電気掃除機を示し、この電気掃除機11は、管部12と、この管部12が着脱可能に接続される掃除機本体13とを有している。
【００１５】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１６】
手元操作部17には、把持部21がホース体16側へと突出し、この把持部21には、操作用の設定ボタン22が複数設けられている。
【００１７】
また、掃除機本体13は、図８に示すように、合成樹脂などにより中空状に形成された本体ケース25を備え、この本体ケース25の内部に形成された隔壁26の後側に、電動送風機27およびこの電動送風機27の動作を制御する制御手段としての図示しない本体制御部などを収容する電動送風機室28、および、電動送風機27などに給電するための図示しない電源部を収容する図示しない電源室とが区画されているとともに、隔壁26の前側に、この隔壁26に設けられた連通口31を介して電動送風機27の吸込側に連通する集塵室である本体集塵室33が区画され、この本体集塵室33に集塵部34が着脱可能に配置されている。
【００１８】
本体ケース25は、本体集塵室33の上流側に連通し接続管部15が接続される本体吸込口35を前部に備えている。また、この本体ケース25には、本体集塵室33の開口部である上部開口33aを開閉可能な蓋体としての本体蓋36が前側の上部に取り付けられている。さらに、この本体ケース25の後部には、電動送風機室28に連通する図示しない排気孔が複数形成されている。また、本体ケース25の両側部には、掃除機本体13を床面上などで走行可能にするための走行輪38(一方のみ図示)がそれぞれ回転自在に取り付けられている。そして、本体ケース25の下部には、この本体ケース25を走行時に旋回させるための旋回輪39が旋回自在に取り付けられている。
【００１９】
連通口31の本体集塵室33側である前部には、図示しないフィルタなどが取り付けられている。また、この連通口31は、電動送風機27の吸込側に対して気密に接続されている。
【００２０】
そして、集塵部34は、図１ないし図４に示すように、使い捨て可能な紙パック、あるいは布パックなどの集塵袋41を保持するホルダ本体である集塵部本体42と、この集塵部本体42に所定角度回動可能に取り付けられたハンドル43と、集塵部本体42に上下方向に沿って移動可能に取り付けられた開閉体であるシャッタ44とを一体的に備えている。そして、この集塵部34は、少なくとも集塵袋41を保持した状態で、本体集塵室33に対して上部開口33aと交差(直交)する方向に沿って着脱可能となっている。
【００２１】
集塵袋41は、厚紙などにより形成された被保持部である四角形板状の口板46と、この口板46に対して一体的に取り付けられた袋部47とを有する、周知の一般的なものである。
【００２２】
口板46は、略中央部に円形状の集塵開口46aが開口形成されている。
【００２３】
袋部47は、空気を通過させて塵埃を捕集する通気性の濾材を例えば複数重ねて袋状に形成されており、口板46の集塵開口46aを介して集塵袋41の外部と連通している。換言すれば、この袋部47内には、口板46の集塵開口46aを介して塵埃を含む空気が流入するように構成されている。
【００２４】
集塵部本体42は、左右幅方向に長手状、すなわち横長の四角形状の底板51の両側部に側板52，52が上方に向けて突出して一体に形成されており、これら側板52，52の前側(吸気風の上流側)に亘って前板53が一体に形成されており、かつ、この前板53の後方にて各側板52の内側に集塵袋41の口板46を支持する支持部としての支持板54が一体に形成されて構成されている。
【００２５】
側板52，52の間隔は、口板46の左右幅寸法よりも大きく設定されている。また、各側板52には、前側の上部に四角形状の切欠部52aが形成されており、この切欠部52aの下方に、ハンドル43を回動可能に軸支するための丸孔状の軸支穴52bが厚み方向である左右幅方向に沿って貫通して形成されている。さらに、各側板52の支持板54の後方の内側には、集塵袋41の口板46を集塵部本体42に係止するための係止部56が取り付けられている。
【００２６】
各係止部56は、各側板52の内側に突出して上下に離間されて形成された軸支部58，58間に回動可能に軸支されている。また、各係止部56は、回動付勢手段としての図示しないトーションばねによって回動方向へと付勢されており、無負荷状態(自然状態)で各支持板54の後方に集塵袋41の口板46を挿入可能な隙間Ｇを形成する位置に保持されるように構成されている。
【００２７】
前板53は、側板52の軸支穴52bよりも下側の位置から左右幅方向に長手状に形成されており、左右幅方向の略中心位置に、丸孔状の連通開口53aが開口形成されている。この連通開口53aは、集塵部34に取り付けられた集塵袋41の集塵開口46aの上流側に、図示しない気密接続部材であるシール部材などを介して気密に接続されるように構成されている。さらに、この前板53は、両側近傍で段差状に屈曲しており、各側板52との間に、シャッタ44の一部を移動可能に収容してガイドする上下方向に長手状のガイド部であるガイド空間部60を区画している。そして、この前板53は、後面が各支持板54の前面に対して前方に離間されている。
【００２８】
各支持板54は、上下方向に長手状に形成されており、上端部が側板52の切欠部52aの下端部に位置している。すなわち、各支持板54は、前板53の上端部よりも上方に突出している。また、各支持板54の後面には、上下方向に沿って、集塵袋41の口板46の左右幅方向位置を規制するリブ状の規制部54aが長手状に形成されている。さらに、各支持板54には、軸支穴52bと対応する上下方向位置に、丸孔状の挿通穴54bが厚み方向である前後方向に沿って貫通して形成されている。すなわち、各挿通穴54bは、軸支穴52bに対して交差(直交)する方向に向けて開口している。これら挿通穴54bは、集塵袋41の口板46を隙間Ｇに挿入して集塵袋41を集塵部34に取り付けた状態で、規制部54aによって左右幅方向の位置が規制された口板46の側方に位置し、この口板46により閉塞されないように構成されている。
【００２９】
また、ハンドル43は、集塵部本体42に回動可能に軸支される一方および他方の被軸支部61，61と、これら被軸支部61，61間に亘って取り付けられる被操作部62とを備えている。
【００３０】
各被軸支部61は、長尺直線状に形成され、集塵部本体42の軸支穴52bに挿入される回転軸となる円柱状の軸部61aを一端部に有し、他端側が被操作部62にそれぞれ挿入されている。また、各被軸支部61には、一端部から他端部(軸部61a)に亘って内部を貫通する貫通穴61bが形成されている。
【００３１】
各軸部61aは、各被軸支部61の長手方向に交差(直交)する方向に沿って軸方向を有しており、軸支穴52bの内側から外側へと挿入されている。さらに、一方の被軸支部61の軸部61aには、衝撃付与部61cが径方向に突出して形成されている。この衝撃付与部61cは、図５および図６に示すように集塵部本体42とハンドル43との相対的に回動することでシャッタ44を叩打することにより集塵袋41の口板46の集塵開口46a近傍に衝撃を付与するように構成されている。
【００３２】
そして、ハンドル43は、各軸部61a(各軸支穴52b)を中心として集塵部本体42に対して相対的に回動可能となっている。したがって、作業者がハンドル43を把持した状態では、図５に示すように集塵部本体42がハンドル43に対して相対的に回動するように集塵部34が構成されている。なお、集塵部本体42は、ハンドル43を把持して集塵部34を宙吊りした状態で、ハンドル43に対して下側が前方上側へと回動するように重量バランスが設定されている。ここで、この重量バランスは、例えば集塵袋41を集塵部本体42に対して取り付けた状態での重量バランスでもよいし、集塵部本体42単体での重量バランスでもよい。すなわち、集塵袋41を集塵部本体42に取り付けない状態では、ハンドル43を把持して集塵部34を宙吊りにした際に、集塵部本体42がハンドル43に対して相対的に回動してもよいし、回動しなくてもよい。
【００３３】
また、図１ないし図４に示す被操作部62は、作業者によって把持される左右幅方向に長手状の被把持部62aと、この被把持部62aの両側から各被軸支部61側へと突出する接続部としての突出部62b，62bとにより、コ字状に形成されている。また、各突出部62bの内部には、各被軸支部61の他端側が移動可能に挿入される挿入空間部62cが先端側から基端側に亘って長手状に凹設されている。さらに、各突出部62bの挿入空間部62cの中央部には、開閉体操作部としての押し棒部62dがそれぞれ先端側へと突出して形成されている。そして、各挿入空間部62cと各被軸支部61との間には、これら被軸支部61に対して被操作部62を突出させる方向、すなわち各被軸支部61の一端部、換言すれば軸部61aと反対方向へと付勢するハンドル付勢手段としてのコイルばね65が取り付けられている。
【００３４】
各押し棒部62dは、基端側が被把持部62a側と一体に形成され、先端側が挿入空間部62cから突出して各貫通穴61bに移動可能に挿入されている。また、各押し棒部62dは、図５ないし図７に示すように集塵部本体42とハンドル43との相対的な回動によって先端側が各支持板54の挿通穴54bに対向し、これら挿通穴54bから各支持板54の後部の隙間Ｇへと挿入されて係止部56を付勢に抗して回動させることが可能となっている。
【００３５】
また、図１および図２に示すように、コイルばね65は、例えば押し棒部62dに挿入されて保持されており、無負荷状態(自然状態)で図１に示すように被操作部62が各被軸支部61に対して最大に突出する(使用状態になる)ように構成されている。なお、ハンドル43の各被軸支部61と被操作部62とは、例えば被軸支部61、あるいは各突出部62bなどに抜け止め用の図示しない突起部などが形成されていることにより、コイルばね65の無負荷状態で互いに抜けることなく一体的に操作可能となっている。
【００３６】
また、図１ないし図３に示すシャッタ44は、横長四角形板状の開閉体本体であるシャッタ本体44aと、このシャッタ本体44aの両側に突出して形成された被押圧部としての被付勢部である腕部44b，44bとを一体に備えている。
【００３７】
シャッタ本体44aは、集塵部本体42の前板53の後面に前面側が接触し、集塵部34に取り付けられた集塵袋41の口板46の前面に後面側が接触するように構成されている。すなわち、このシャッタ本体44aは、集塵部本体42の前板53と集塵袋41の口板46との間で上下方向に移動可能となっている。また、このシャッタ本体44aには、連通開口53aおよび集塵開口46aと連通する開閉体開口である例えば丸孔状のシャッタ開口44cが開口形成されている。さらに、シャッタ本体44aの前面および後面には、図示しないが、それぞれＯリングなどの気密保持部材がシャッタ開口44cの周囲に位置して配置されている。なお、シャッタ本体44aの前面側の気密保持部材は、例えば集塵部本体42の前板53側に配置してもよい。
【００３８】
各腕部44bは、各ガイド空間部60内に上側から挿入されており、各ガイド空間部60内で上下方向に移動可能となっている。また、各腕部44bの上部には、各押し棒部62dが当接しており、各腕部44bの下部には、底板51との間に、シャッタ44を上方に向けて付勢する開閉体付勢手段としてのコイルばね68がそれぞれ配置されている。したがって、シャッタ44は、押し棒部62d，62dにより上側から押圧されることでコイルばね68の付勢に抗して下方へと移動してシャッタ開口44cが集塵袋41の集塵開口46a(集塵部本体42の連通開口53a)と気密保持部材を介して気密に接続され(図２)、押し棒部62d，62dからの押圧がない(解除された)状態でコイルばね68の付勢によって上方へと移動して集塵袋41の集塵開口46a(集塵部本体42の連通開口53a)を閉塞する(図１)ように構成されている。
【００３９】
また、図８に示す本体吸込口35は、接続管部15の下流端側が挿入接続されており、この接続管部15の下流端は、集塵部34を本体集塵室33に取り付けた状態で、シール部材Ｓを介して連通開口53aに気密に接続される。なお、本実施の形態では、接続管部15を連通開口53aに対して直接的に気密に接続しているが、間接的に気密に接続してもよい。
【００４０】
そして、本体蓋36は、本体ケース25に対して後部が回動可能に軸支されており、上下方向に開閉可能となっている。また、この本体蓋36には、本体集塵室33の上部開口33aを気密に閉塞するためのパッキンなどの図示しない気密部材が取り付けられている。さらに、この本体蓋36は、図示しない係止手段としての蓋クランプなどを介して上部開口33aを閉塞した状態で本体ケース25に保持されるように構成されている。
【００４１】
次に、上記一実施の形態の作用を説明する。
【００４２】
掃除の際には、まず、図１(a)および図１(b)に示すように、集塵部本体42の両規制部54a，54a間にて支持板54，54と係止部56，56との隙間Ｇに新規の集塵袋41の口板46を挿入し、袋部47を集塵部本体42の後方へと位置させて集塵部34を構成し、図８(a)に示すように、本体蓋36を上方へと開き、本体集塵室33の上部開口33aから本体集塵室33内に集塵部34を装着する。この結果、集塵袋41の集塵開口46aが垂直方向に沿って位置し、すなわち前後方向(水平方向)に沿って開口方向を有する状態となり、集塵部本体42の連通開口53aが、本体吸込口35に接続された接続管部15の端部に対してシール部材Ｓを介して気密に接続される。さらに、集塵部34は、コイルばね65，68が最大に伸張した状態となり、シャッタ44とともにハンドル43が略垂直に上方へと移動して、ハンドル43の被操作部62が上部開口33aから上方へと突出した状態となっている。
【００４３】
この集塵部34の本体集塵室33(本体ケース25)に対する装着は、例えば本体集塵室33に上側から挿入して本体ケース25に固定する構成としてもよいし、例えば本体集塵室33に対して後方から前方へと下方に傾斜状に取り付けた後、本体吸込口35側すなわち前方へと回動させることにより本体ケース25に固定する構成などとしてもよく、例えば集塵袋41をクランプなどの固定手段によって固定してもよい。また、ハンドル43は、集塵部本体42に対して前方へと回動して倒れないように本体ケース25などにより支持されている。
【００４４】
なお、集塵部34(集塵袋41)を予め本体集塵室33内に装着している場合には、上記作業を行う必要はない。
【００４５】
この後、作業者が図８(b)に示すように本体蓋36を下方へと閉じることにより、この本体蓋36の下部が集塵部34のハンドル43の被操作部62の上部に当接する。さらに、この本体蓋36を下方へと回動させて蓋クランプなどで本体ケース25に係止することにより、図２(a)および図２(b)に示すように、ハンドル43の被操作部62がコイルばね65，65の付勢に抗して略垂直に下方へと移動し(収納状態)、この被操作部62の下方への移動に伴い押し棒部62d，62dが被軸支部61，61の貫通穴61b，61bから下方へと突出して、シャッタ44の腕部44b，44bを下方へと押し、このシャッタ44が、腕部44b，44bがガイド空間部60，60によりガイドされつつコイルばね68，68の付勢に抗して下方へと移動し、シャッタ開口44cが連通開口53a(集塵開口46a)と気密に接続される。したがって、本体吸込口35が、連通開口53aおよびシャッタ開口44cを介して集塵開口46aに気密に接続される。
【００４６】
そして、この状態で、図９に示すように、ホース体16に対して延長管18および床ブラシ19を順次連通接続した後、床ブラシ19を床面上に載置して、把持部21を把持し、所望の設定ボタン22を操作することで、本体制御部が電動送風機27を所望の動作モードで動作させる。そして、作業者は、把持部21により、延長管18を介して床ブラシ19を床面上で前後に走行させる。
【００４７】
電動送風機27の駆動により生じる負圧は、図８に示す連通口31を介して本体集塵室33に作用し、集塵袋41の袋部47から集塵開口46a、シャッタ開口44c、連通開口53aおよび接続管部15(本体吸込口35)を介して図９に示すホース体16および延長管18を介して床ブラシ19に作用し、床面上の塵埃を空気とともに吸い込む。
【００４８】
この吸い込まれた空気は、吸気風となり、塵埃とともに床ブラシ19から延長管18およびホース体16の接続管部15(本体吸込口35)を介して、図８に示す連通開口53aおよび集塵開口46aを介して集塵袋41の袋部47内に吸い込まれて捕集される。
【００４９】
集塵袋41の袋部47を通過した吸気風は、フィルタおよび連通口31を通過して電動送風機27へと吸い込まれ、この電動送風機27内を冷却しつつ通過して排気風となり、電動送風機室28および排気孔から本体ケース25(掃除機本体13)の外部へと排気される。
【００５０】
掃除が終了すると、作業者は図９に示す設定ボタン22を操作して、電動送風機27を停止させる。
【００５１】
集塵袋41の袋部47に所定量以上の塵埃を捕集した場合には、集塵袋41を廃棄する。まず、作業者は、クランプを操作して本体蓋36の本体ケース25に対する係止を解除し、図８(a)に示すように、この本体蓋36を上方へと開く。このとき、集塵部34では、コイルばね65，65の付勢により、ハンドル43の被操作部62が被軸支部61，61から略垂直に上方へと移動して(ポップアップして)、本体ケース25の上部開口33aから被操作部62が上方へと突出する(使用状態)。このため、この被操作部62の押し棒部62d，62dが被軸支部61，61の貫通穴61b，61b内を上方へと移動することにより、シャッタ44の腕部44b，44bを上方から下方へと押さえつける力が作用しなくなり、コイルばね68，68の付勢によってシャッタ44が、腕部44b，44bがガイド空間部60，60によりガイドされつつ上方へと移動して、連通開口53aおよび集塵開口46aをシャッタ本体44aにより閉塞し、集塵開口46aからの塵埃のこぼれを防止する。なお、このシャッタ44は、腕部44b，44bが押し棒部62d，62d(軸部61a，61a)の下端部に当接する位置まで上方に移動する。
【００５２】
そして、作業者は、上部開口33aから突出した被操作部62の被把持部62aを把持して集塵部34を集塵袋41とともに本体集塵室33から上方へと取り外す。
【００５３】
本体集塵室33から取り外された集塵部34は、軸支穴52b，52bを中心として、図５の想像線に示す状態から実線に示す状態へと、集塵部本体42が集塵袋41とともにハンドル43に対して相対的に回動し、ハンドル43と集塵部本体42とが相対的に約９０°回動した状態、すなわち、連通開口53aおよび集塵開口46a(図１)が上方を向いた状態、換言すれば連通開口53aおよび集塵開口46a(図１)が略水平方向となった状態で保持される。また、このとき、図６に示すように、ハンドル43の衝撃付与部61cがシャッタ44のシャッタ本体44aを叩打することにより、このシャッタ本体44aを介して集塵袋41の口板46の集塵開口46a(図１)の近傍に衝撃を付与し、集塵開口46a(図１)の周囲の口板46などに付着した塵埃を袋部47内へと落下させる。
【００５４】
この状態で、作業者は、集塵部34を集塵袋41とともにごみ箱などの廃棄位置へと持ち運んだ後、例えば集塵部本体42を把持してハンドル43の被操作部62を下方へと押し下げる。すると、図７に示すように、被操作部62の押し棒部62d，62dが集塵部本体42の挿通穴54b，54bから突出して隙間Ｇ内へと突出し、係止部56，56に当接して、これら係止部56，56を図中の想像線に示すように下方へと回動させることで、この係止部56，56により口板46の両側が集塵部本体42に係止されていた集塵袋41が自重により落下して廃棄される。
【００５５】
上述したように、上記一実施の形態によれば、集塵袋41を保持可能な集塵部本体42を備えた集塵部34を本体集塵室33に着脱可能とすることにより、例えば口板を本体集塵室に直接取り付けるなどの従来例と比較して、本体集塵室33への集塵袋41の着脱性を向上できるとともに、集塵部34を集塵袋41とともに本体集塵室33から取り外すためにハンドル43を使用状態とするとシャッタ44が集塵開口46aを閉塞することにより、特殊な集塵袋を用いることなく、この取り外しの際の集塵開口46aからの塵埃のこぼれを防止できる。
【００５６】
すなわち、作業者が本体蓋36を開くだけで、ハンドル43の被操作部62が集塵部本体42から突出してハンドル43が使用状態となり、この使用状態となることで、シャッタ44は、集塵部34が集塵袋41とともに本体集塵室33に装着された状態から集塵開口46aを閉塞する。換言すれば、本体蓋36を開いた時点で、集塵開口46aがシャッタ44により閉塞される。したがって、従来例では、集塵袋を本体集塵室から取り外す際などに集塵開口から塵埃がこぼれるおそれがあるのに対して、上記一実施の形態では、本体蓋36を開いた後の作業、すなわち集塵部34を集塵袋41とともに本体集塵室33から取り外したり、集塵袋41の廃棄位置へと持ち運んだりする作業の中で、集塵開口46aから集塵袋41に捕集した塵埃がこぼれることがない。
【００５７】
また、ハンドル43は、本体蓋36により本体集塵室33を閉じた状態で被操作部62が被軸支部61，61側へと押し込まれて収納状態となり、本体蓋36により本体集塵室33を開いた状態で被操作部62が被軸支部61，61から突出して使用状態となるため、本体蓋36を開閉するだけでハンドル43を収納状態としたり使用状態としたりすることが可能となり、ハンドル43を使用状態、あるいは収納状態とするための作業が別途不要となり、使い勝手がよい。
【００５８】
しかも、ハンドル43の被把持部62は、使用状態で上部開口33a側である上方へと本体集塵室33から突出するとともに、この被把持部62が上部開口33aよりも上側へと突出するので、作業者がハンドル43の被把持部62を把持しやすくなる。
【００５９】
さらに、ハンドル43を把持して集塵部34を本体集塵室33から取り外した状態で集塵袋41の集塵開口46aが略水平方向、すなわち上方を向くように集塵部本体42がハンドル43に対して相対的に回動することにより、集塵部34を集塵袋41とともに本体集塵室33から取り外して使用済みの集塵袋41を廃棄する際などに集塵部34を集塵袋41とともに持ち運ぶときにも、集塵開口46aから塵埃をよりこぼれにくくできる。
【００６０】
そして、集塵部本体42がハンドル43に対して相対的に回動したときに集塵袋41の集塵開口46aの近傍に衝撃付与部61cにより衝撃を与えることで、例えば使用済みの集塵袋41を廃棄するために集塵部34を本体集塵室33から取り外した際に、集塵袋41の口板46などに付着した塵埃を袋部47内へと落下させて、集塵袋41の廃棄の際に塵埃を集塵開口46aなどから舞い上がらせることなく集塵袋41とともに確実に廃棄させることができる。
【００６１】
また、集塵部本体42がハンドル43に対して相対的に回動した状態で、ハンドル43の被操作部62を被軸支部61，61に対して押し込むように操作することで係止部56，56による集塵袋41の口板46の保持を解除することにより、使用済みの集塵袋41をワンタッチで集塵部本体42から容易に取り外して廃棄できるとともに、この廃棄の際に、作業者が集塵袋41に対して直接手を触れる必要がなく、衛生性が良好になる。
【００６２】
しかも、ハンドル43を、集塵部本体42からの集塵袋41の取り外し用として共用することにより、集塵袋41の取り外し用の構成を別途設ける場合と比較して、構成を簡略化できる。
【００６３】
なお、上記一実施の形態において、ハンドル43の使用状態と収納状態とは、上下動する構成に限定されるものではなく、例えばハンドルが回動に使用状態と収納状態とに変化する構成なども可能である。そして、ハンドル43の使用状態と収納状態とをどのような構成とした場合でも、このハンドル43の状態の変化にシャッタ44を連動させれば、上記一実施の形態と同様の作用効果を奏することができる。
【００６４】
また、接続管部15がシャッタ44を開いた状態で保持するように構成して、本体蓋36を開き、接続管部15を本体吸込口35から取り外すことでシャッタ44が集塵開口46aを閉塞するように構成することも可能である。すなわち、集塵部本体42に前板53および連通開口53aを形成せず、接続管部15を、集塵袋41の集塵開口46aに挿入したり、集塵開口46aにシール部材Ｓを介して気密に接続したりするなど、直接気密に接続する構成とすることも可能である。
【００６５】
さらに、本体集塵室33は、上部開口33aを有し上部を本体蓋36によって開閉する構成としたが、例えば前部を開閉する構成などとしてもよい。
【００６６】
そして、電気掃除機11としては、キャニスタ型に限らず、例えば掃除機本体13の下部に床ブラシ19を接続するアップライト型、あるいは、掃除機本体13の前部に床ブラシ19を接続するハンディ型などでも、対応して用いることができる。
【符号の説明】
【００６７】
11    電気掃除機
25    本体ケース
27    電動送風機
33    集塵室である本体集塵室
34    集塵部
36    蓋体としての本体蓋
41    集塵袋
42    集塵部本体
43    ハンドル
44    開閉体であるシャッタ
46a   集塵開口
61c   衝撃付与部
【図１】
2011045546.tif 000003
【図２】
2011045546.tif 000004
【図３】
2011045546.tif 000005
【図４】
2011045546.tif 000006
【図５】
2011045546.tif 000007
【図６】
2011045546.tif 000008
【図７】
2011045546.tif 000009
【図８】
2011045546.tif 000010
【図９】
2011045546.tif 000011